(57)【要約】      （修正有）【課題】手や指のサイズが小さい人においても容易に演奏可能な弦楽器演奏用支持部材、弦楽器用ネック、これらを用いたギター等の弦楽器を提供する。【解決手段】弦楽器演奏用支持部材２は、弦楽器のネック本体１の裏側に押し当てる指を支持する支持部を有する支持面と、当該弦楽器のネック本体１の裏側表面に取付け可能な取付け面とで主に構成される。支持部は、ネック本体の長手方向と直交する断面の輪郭のうち、指が当接する部分が曲線状であっても良い。また、支持部は、複数であっても良い。【選択図】図２
0003172066.tif 000002
【実用新案登録請求の範囲】
【請求項１】
弦楽器のネック本体の裏側に押し当てる指を支持する支持部を有する支持面と、当該ネック本体の裏側表面に取付け可能な取付け面とを有することを特徴とする弦楽器演奏用支持部材。
【請求項２】
前記支持部は、前記ネック本体の長手方向と直交する断面の輪郭のうち、指が当接する部分が曲線状であることを特徴とする請求項１記載の弦楽器演奏用支持部材。
【請求項３】
前記支持部を複数有することを特徴とする請求項１又は２記載の弦楽器演奏用支持部材。
【請求項４】
前記取付け面を前記ネック本体に着脱可能な着脱手段を有することを特徴とする請求項１ないし３のいずれかに記載の弦楽器演奏用支持部材。
【請求項５】
弦楽器のネック本体の裏側に押し当てる指を支持する支持部を有することを特徴とする弦楽器用ネック。
【請求項６】
前記支持部は、ネック本体の長手方向と直交する断面の輪郭のうち、指が当接する部分が曲線状であることを特徴とする請求項５記載の弦楽器用ネック。
【請求項７】
前記支持部を複数有することを特徴とする請求項５又は６記載の弦楽器用ネック。
【請求項８】
前記ネック本体はギター用のものであることを特徴とする請求項５ないし７のいずれかに記載の弦楽器用ネック。
【請求項９】
請求項５ないし７のいずれかに記載の弦楽器用ネックを有することを特徴とする弦楽器。
【請求項１０】
請求項８に記載の弦楽器用ネックを有することを特徴とするギター。
【考案の詳細な説明】
【技術分野】
【０００１】
本発明は、弦楽器の演奏を容易にするための支持部材、弦楽器用ネック、およびこれらを有する弦楽器に関する。
【背景技術】
【０００２】
一般に弦楽器は、音量の増幅を目的とするボディと、音程のコントロールを目的とするネックとを有する構造となっている。
【０００３】
通常、弦楽器の演奏は、一方の手でネックに張設された弦を押さえ、もう一方の手で弦を弾くことにより行う。弦を押さえる側の手は、親指をネックの裏側に当て、人差し指、中指、薬指、小指の４本で任意の弦を押さえる。綺麗な音を出すためには、弦を押さえる４本の指は、ネックに対して寝かせず、関節を曲げて真上から弦を押さえるようにすることが好ましいとされている。これにより隣接した弦に指が触れるのを防ぐことができるからである。このとき親指は、弦を押さえる４本の指を補助すると共にネックを支える重要な役割を持つ。したがって、演奏時の手の操作という点においては、細いネックを有する弦楽器の方が有利である。
【０００４】
一方で、弦楽器のネックは時間の経過と共に反りが生じやすい。ネックに反りが生じると、正しい音程や綺麗な音を出すことが難しくなる。特に細いネックにおいては、強度が弱いために反り具合が大きくなり、ネックに亀裂が入ったり、折れてしまったりするという問題が生じやすい。このようなネックの耐久性に対する問題に対処するため、従来、強度の強い木材や金属板が補強材としてネック部内に埋設されている（例えば、特許文献１）。
【先行技術文献】
【特許文献】
【０００５】
【特許文献１】特開２００１−０１３９５７号
【考案の概要】
【考案が解決しようとする課題】
【０００６】
しかしながら、ネックの太さに対して手や指のサイズが小さい人は、指板上における可動範囲が狭く、ネックを支えるのに必要十分なネック裏側箇所に親指を保持すると、他の４本の指で弦を真上から押さえることは困難であった。そのため、特に子供や女性といった手の小さい人にとっては、ネックが太くなるほど綺麗な音を出すことが困難であった。
【０００７】
また、従来のネックの補強材は、あらかじめネックの内部に埋設されるものであったため、ネックに耐久性を付与するために後から補強を行うことは困難であった。
【０００８】
そこで本考案は、弦楽器の演奏における操作性を向上させると共に、ネックの強度及び音質を向上させる弦楽器演奏用支持部材、弦楽器用ネック、これらを用いたギター等の弦楽器を提供することを目的とする。
【課題を解決するための手段】
【０００９】
上記目的を達成するために、本考案の弦楽器演奏用支持部材は、弦楽器のネック本体の裏側に押し当てる指を支持する支持部を有する支持面と、当該ネック本体の裏側表面に取付け可能な取付け面とを具備することを特徴とする。
【００１０】
この場合、前記支持部は、前記ネック本体の長手方向と直交する断面の輪郭のうち、指が当接する部分が曲線状であることが好ましい。また、前記支持部は複数であってもよい。また、前記取付け面を前記ネック本体に着脱可能な着脱手段を有する方が好ましい。
【００１１】
また、本考案の弦楽器用ネックは、ネック本体の裏側に押し当てる指を支持するための支持部を具備することを特徴とする。この場合、前記支持部は、ネック本体の長手方向と直交する断面の輪郭のうち、指が当接する部分が曲線状であることが好ましい。また、前記支持部は複数であってもよい。なお、前記ネック本体はギター用のものであっても良い。
【００１２】
さらに、本考案のギター等の弦楽器は、前記弦楽器用ネックを具備することを特徴とする。
【考案の効果】
【００１３】
本考案の弦楽器演奏用支持部材、弦楽器用ネック、ギターおよび弦楽器を用いると、本考案に係る支持部に、親指を引っ掛けることができる。これにより、太いネックにおいても、親指に余計な力をかけることなくネックを支えることが可能となる。また、従来よりも、他の４本の指で弦を真上から押さえるために好適な手首の角度を保つことが容易となる。加えて、ネック上での手のスライドも容易に行うことができる。
【００１４】
さらに、本考案の弦楽器演奏用支持部材、弦楽器用ネック、ギターおよび弦楽器は、ネック本体の強度を向上させることができ、これに付随して音質の向上も期待できる。
【図面の簡単な説明】
【００１５】
【図１】本考案に係るネックの例を示すギターの背面図
【図２】本考案の弦楽器示す概略斜視図である。
【図３】図２（Ａ）のＩ-Ｉ線矢印方向および図２（Ｂ）のＩＩ-ＩＩ線矢印方向を示す概略断面図である。
【図４】本考案の弦楽器用ネックを示す概略断面図である。
【図５】本考案の弦楽器用ネックを示す概略断面図である。
【考案を実施するための形態】
【００１６】
本考案において、弦楽器とは、弦を弾くこと又は弓のつるで弦をこすることによって、弦を振動させて音を出す楽器のことをいい、リュート属やヴァイオリン属に分類される楽器を含む。例えば、ギター、エレキベース、箏、三味線、ヴァイオリン、ヴィオラ、チェロ、コントラバス等が含まれる。
【００１７】
また、一般に弦楽器は、音量の増幅を目的とするボディと、音程のコントロールを目的とするネック本体１とが接合されて形成されている。ネック本体１は、ボディとネック本体１との接合方法の違いにより次のものに分類される。すなわち、ネック本体１がボルトでボディに接合されるボルトオンネック（図１（Ａ）参照）、ネック本体１がボディに差し込まれて接着剤等で接合されるセットネック（図１（Ｂ）参照）、ネック本体１がボディエンドまであり、両サイドのボディ材と接着剤等で接合されるスルーネック（図１Ｃ参照）である。本考案のネック本体は、そのいずれであっても良い。なお、本考案において、ネック本体１の裏側とは、一般に指板と呼ばれる面以外の部分を指す。
【００１８】
本考案の弦楽器演奏用支持部材２は、図２（Ａ）に示すように、弦楽器のネック本体１の裏側に押し当てる指を支持する支持部21を有する支持面22と、当該弦楽器のネック本体１の裏側表面に取付け可能な取付け面23とで主に構成される。
【００１９】
支持部21は、指を引っ掛けることのできる立体形状を有するものであればどのようなものであっても良いが、図３（Ａ）に示すような、ネック本体１の長手方向と直交する断面の輪郭のうち、指が当接する部分が曲線状であることが好ましい。
【００２０】
ここで、指が当接する部分とは、演奏時にネック本体１の裏側に押し当てる指が、支持部21において接し得るあらゆる部分を含むが、そのうちの一部であっても良い。なお、曲線状であるとは、例えば、円弧状や湾曲状に形成されているものを指す。例えば、図５に示すような形状にすることが可能である。
【００２１】
支持部21を前述のような丸みを帯びた形状にすることにより、ネック本体１の裏側に押し当てる指の痛みを軽減させることができるとともに、ネック本体１に沿った手のスライドをスムーズに行うことができる。
【００２２】
また、支持部21は、単数であっても複数であってもよい。複数の支持部を有する弦楽器演奏用支持部材２としては、例えば図４（Ａ）に示すような構造が挙げられる。複数の支持部を有するものは、運指の各ポジションに最適な支持部を選択して演奏できるというメリットがあり、ネック本体１の幅が太くても、容易に演奏をすることができる。
【００２３】
また、支持部21は、支持面22上のどのような位置に配置されていても良いが、本考案支持部材２をネック本体１に取付けた状態において、ネック本体１の裏側に押し当てる指が演奏時に移動する位置をカバーし得るように設けられることが好ましい。
【００２４】
また、支持部21は、本考案の支持部材２をネック本体１に取付けた状態において、ネック本体１の幅の中央に設けられるように支持面22上に配置されても良いし、ネック本体１の第１弦側の淵と並行に設けられるように支持面22上に配置されても良い。また、ネック本体１の長手方向に対して所定の傾きを有した状態でネック本体１の裏側表面に設けられるように支持面22上に配置されていても良い。
【００２５】
なお、支持部21をネック本体１の長手方向に沿って所定の長さを有する棒状のものとすることにより、ネック本体１の剛性を高め、ひいてはネック本体１の耐久性を向上させる効果が得られる。また、それに付随して音質を向上させる効果も期待できる。このとき、支持部21の数が多いほど、ネック本体１の耐久性および音質の向上に及ぼす効果は大きい。
【００２６】
支持面22は、支持部21を有するものであればどのようなものであっても良いが、例えば、当該弦楽器演奏用支持部材２を取付けるネック本体１の裏側表面の形状と同等もしくはそれに近い形状とすることができる。
【００２７】
取付け面23は、支持面22をネック本体１の裏側表面に取付けることができる形状、または、ネック本体１の裏側に取付けることができる形状に変形可能なものであればどのようなものであっても良い。例えば、ネック本体１の裏側の所定のカーブと同等のカーブに形成されているものや、任意のカーブに沿うことが可能な材質で取付け面23が形成されているものであっても良い。なお、取付け面23には、接着剤や粘着剤等といった、ネック本体１の裏側表面に取付けるための手段が施されているものであっても良い。また、取付け面23をネック本体１に着脱可能な着脱手段を有していても良い。着脱手段としては、ネック本体１にねじにより固定するものを用いることができる。また、ネック本体にねじ穴等を空けるのを避けたい場合には、ばね等の弾性力でネック本体１の適当な位置（例えば、ネック本体１のヘッド側とボディ側）を挾持して固定するものや、ボルトとナットでネック本体１の適当な位置（例えば、ネック本体１のヘッド側とボディ側）を挾持して固定するものを用いても良い。
【００２８】
本考案の弦楽器用ネックは、弦楽器のネック本体１の裏側に押し当てる指を支持する支持部11を有することを特徴とする。
【００２９】
ここで、弦楽器用ネックは、例えば、図２（Ｂ）に示すように、支持部11とネック本体１とを一体として形成したものとすることができる。
【００３０】
この場合、支持部11の形状は、指を引っ掛けることのできる立体形状を有するものであればどのようなものであっても良いが、図３（Ｂ）に示すような、ネック本体１の長手方向と直交する断面の輪郭のうち、指が当接する部分が曲線状であることが好ましい。
【００３１】
ここで、指が当接する部分とは、演奏時にネック本体１の裏側に押し当てる指が、支持部11において接し得るあらゆる部分を含むが、そのうちの一部であっても良い。なお、曲線状であるとは例えば、円弧状や湾曲状に形成されているものを指す。
【００３２】
また、支持部11は、単数であっても複数であってもよい。複数の支持部11を有する弦楽器用ネックとしては、例えば図４に示すような構造が挙げられる。
【００３３】
支持部11を設ける位置は、ネック本体１の裏側であればどのような位置であっても良いが、ネック本体１の裏側に押し当てる指が演奏時に移動する位置をカバーし得るように設けられることが好ましい。また、支持部11は、弦楽器用ネックのヘッドやボディの方まで延伸するように形成しても良い。また、支持部11は、ボディに埋め込まれるように設けられていても良い。これにより、弦楽器の操作性だけでなく、弦楽器用ネックの強度も向上することもできる。
【００３４】
また、この場合に支持部11は、ネック本体１の裏側表面において、ネック本体１の幅の中央に位置するように設けられても良いし、ネック本体１の第１弦側の淵と並行に位置するように設けられても良い。また、ネック本体１の長手方向に対して所定の傾きを有するように設けられても良い。
【００３５】
なお、支持部11をネック本体１の長手方向に沿って所定の長さを有する棒状のものとすることにより、ネック本体１の剛性を高め、ひいてはネック本体１の耐久性を向上させる効果が得られる。また、それに付随して音質を向上させる効果も期待できる。支持部11とネック本体１とが一体として形成されている場合、この効果は特に顕著に現れるものと期待できる。また、ネック本体１自体を通常より太くすることも可能となる。
【００３６】
また、弦楽器用ネックは、本考案の弦楽器演奏用支持部材２をネック本体１に取付けたものであっても良い。弦楽器演奏用支持部材２については、前述した弦楽器演奏用支持部材２と同様であるので、同一部分には同一符号を付して説明は省略する。
【００３７】
本考案のギター等の弦楽器は、本考案の弦楽器用ネックを有することを特徴とする。なお、弦楽器用ネックについては、前述した弦楽器用ネックと同様であるので、同一部分には同一符号を付して説明は省略する。
【符号の説明】
【００３８】
１  ネック本体
２  弦楽器演奏用支持部材
11  支持部
21  支持部
22  支持面
23  取付け面
【図１】
0003172066.tif 000003
【図２】
0003172066.tif 000004
【図３】
0003172066.tif 000005
【図４】
0003172066.tif 000006
【図５】
0003172066.tif 000007